(57)【要約】【課題】  多段給紙トレイを備え、これらの抜き差しによる衝撃に対して情報記憶装置の読み書きエラーや破損等を防ぐ構造を備えた画像形成装置を提供すること。【解決手段】  この画像形成装置１は、給紙筐体３内に複数の給紙トレイ３ａ，３ｂ，３ｃ，…を備え、給紙筐体３の内部の例えば１つの給紙トレイ３ａから処理部筐体５の画像作成部に給紙中であっても給紙筐体３から他の給紙トレイ（例えば給紙トレイ３ｂ）の出し入れを可能とした構造を備え、回転するハードディスクとピックアップとを用いて記録再生が行われる情報記憶装置９を、給紙筐体３または処理部筐体５の内部に固定したものである。情報記憶装置９は、ピックアップアームの長手方向ｊを給紙トレイ３ａ，３ｂ，３ｃ，…の出し入れ方向ｘにほぼ一致させた配置とし、情報記憶装置９の筐体を給紙筐体３または処理部筐体５のいずれかに緩衝機能を介在させて保持してなる。【選択図】        図１
2005088554.tif 000002
【特許請求の範囲】
【請求項１】
給紙筐体内に複数の給紙トレイを備え、前記給紙筐体内の１つの給紙トレイから処理部筐体内の画像作成部に給紙中であっても前記給紙筐体から他の給紙トレイの出し入れを可能とした構造を具備し、かつ、回転する記憶媒体とピックアップアーム上のピックアップとを用いて記録再生が行われる情報記憶装置を前記いずれかの筐体内に固定してなる画像形成装置において、
前記情報記録装置は、前記ピックアップアームの長手方向が前記給紙トレイの出し入れ方向にほぼ一致させた配置としてなり、かつ、前記情報記憶装置は、前記いずれかの筐体に緩衝機能を介在させて保持されてなることを特徴とする画像形成装置。
【請求項２】
前記情報記録装置は、前記記憶媒体の回転軸が水平に位置されるように配置していることを特徴とする請求項１記載の画像形成装置。
【請求項３】
前記情報記録装置は、前記給紙トレイを出し入れする際の振動から隔絶された位置に配置されていることを特徴とする請求項１または請求項２記載の画像形成装置。
【請求項４】
前記給紙トレイの出し入れを検出する検出手段と、
前記検出手段にて前記給紙トレイの出し入れを検出している期間、前記情報記憶装置への情報の書込み、読出し等のアクセスを抑制する制御手段と、を備えたことを特徴とする請求項１、請求項２、または請求項３記載の画像形成装置。
【発明の詳細な説明】
【技術分野】
【０００１】
本発明は、給紙筐体内に複数の給紙トレイを備え、前記給紙筐体内の１つの給紙トレイから処理部筐体内の画像作成部に給紙中であっても前記給紙筐体から他の給紙トレイの出し入れを可能とした構造を具備し、かつ、回転する記憶媒体とピックアップアーム上のピックアップとを用いて記録再生が行われる情報記憶装置を前記いずれかの筐体内に固定してなる画像形成装置に関するものである。
【背景技術】
【０００２】
画像形成装置としては、周知のとおり、プリンタ、ファクシミリ、複写機など各種単機能装置や、ファクシミリ・複写機・プリンタを統合した複合機などが提供されている。かかる画像形成装置は、大別すると、給紙筐体および処理部筐体からなる筐体本体と、当該筐体本体上部に設けられた画像読取部と、前記画像読取部や他装置からの画像信号によって画像を作成して記録用紙に転写印刷定着させる画像作成部と、前記画像作成部に記録用紙を供給する給紙装置と、各種操作指令を入力しかつ必要な表示を行うための操作表示装置とを備えたものが一般的である。また、上記画像形成装置において、前記画像作成部は、印字部、転写部、定着部などを有し、かつ、各種機器を制御するシステム制御部を有しており、これらは処理部筐体内に収納されている。さらに、上記画像形成装置において、前記給紙装置は、給紙トレイ（以下、「給紙トレイ」という）と、前記給紙トレイの一つから一枚ずつ記録用紙を取り出す紙取出し機構と、前記給紙トレイから取り出した記録用紙を所定のタイミングで印字部、転写部、定着部などの画像作成部に移動させる用紙搬送機構と、これら機構等を収納する給紙筐体とを備えている。上記画像形成装置において、上述した処理部筐体と、前記用紙筐体とによって筐体本体が構成されている。
【０００３】
このような画像形成装置においては、前記給紙筐体内の給紙トレイから記録用紙を一枚づつ取り出して処理部筐体内の印字部、転写部などの画像作成部に供給し、前記転写部（印字部）の記録担持体上のトナー像を転写し、前記定着部で記録用紙に定着して記録用紙上に画像を形成するようにしている。
このような画像形成装置において、給紙筐体内に複数の給紙トレイを備え、前記給紙筐体内の１つの給紙トレイから処理部筐体内の画像作成部に給紙中であっても前記給紙筐体から他の給紙トレイの出し入れを可能とした構造を具備したものが提案されている。また、上述した画像形成装置において、回転する記憶媒体とピックアップアーム上のピックアップとを用いて記録再生が行われる情報記憶装置を例えば処理部筐体内に固定してなるものが提案されている。
上述したように処理部筐体や給紙筐体の内部に情報記憶装置を備えた画像形成装置においては、前記給紙筐体内の１つの給紙トレイから画像作成部に給紙中に、前記給紙筐体から他の給紙トレイの出し入れをすると、前記情報記憶装置が故障することがあった。
このため、従来も、回転する記憶媒体とピックアップアーム上のピックアップとを用いて記録再生が行われる情報記憶装置を備えた装置においては、給紙トレイの抜き差し時における振動から前記情報記憶装置を保護する手段を備えたものが提案されていた。
【０００４】
例えば、給紙トレイを一つ備えたプリンタにおいて、当該情報記憶装置のピックアップアームの長手方向と、給紙トレイの着脱方向をほぼ一致するようしたものが提案されている（特許文献１）。
このように原稿と記録用紙のサイズ等に応じて給紙トレイを選択できる画像形成装置の一つとしては、原稿サイズと用紙サイズから変倍率を選択しやすいようにしたものが提案されている（特許文献１）。
なお、上述した給紙トレイの抜き差しによる振動から保護しようというものではなく、情報記憶装置の外装筐体に振動が加わったときに、当該情報記憶装置内のピックアップ部に振動を伝達させないようにするために、前記外装筐体と、ピックアップアーム等が固定されたベース筐体との間に防振部材を配置したものが提案されている（特許文献２）。
【０００５】
【特許文献１】特開平０９−３１４９５３号公報
【特許文献２】特開平０７−０５７４４９号公報
【発明の開示】
【発明が解決しようとする課題】
【０００６】
しかしながら、上記従来の画像形成装置においては、装置自体内部から衝撃を出すものも多く、しかも、給紙トレイを複数段備えるものにあっては１つの給紙トレイから給紙中でも他のトレイの着脱をすることがあるため、その給紙トレイの抜き差しによって衝撃が発生することがあり、これら衝撃によって前記情報記憶装置が故障することがあった。特に、前記情報記憶装置が書き込み／読み出し処理を実行しているときに、前記情報記憶装置に衝撃が加わると、ピックアップが記憶媒体上をスケーティングなどして記憶媒体に傷を付けることにより、前記情報記憶装置が故障してしまうという欠点があった。
また、上記特許文献１記載に示されたプリンタにおいては、情報記憶装置のピックアップアームの長手方向と給紙トレイの抜き差し方向とを一致させた構造が開示されているが、上記従来の画像形成装置のように多段の給紙トレイがあって、その給紙トレイから給紙中（前記情報記憶装置が動作中）に他の給紙トレイを抜き差しする際の衝撃を保護しようとするものではないため、やはり情報記憶装置の保護に欠けるという欠点があった。
さらに、上記特許文献２に記載された情報記憶装置は、単に外部からの衝撃に対して内部のピックアップ部等を保護するという構造が開示されているが、上記従来の画像形成装置のように多段の給紙トレイがあって、その給紙トレイから給紙中（前記情報記憶装置が動作中）に他の給紙トレイを抜き差しする際の衝撃を保護しようとするものではないため、やはり情報記憶装置の保護に欠けるという欠点があった。
【０００７】
本発明は、上述した従来の欠点を解消し、多段給紙トレイを備え、これらの抜き差しによる衝撃に対して情報記憶装置の読書きエラーや破損等を防ぐ構造を備えた画像形成装置を提供することを目的とする。
【課題を解決するための手段】
【０００８】
請求項１記載の発明は、給紙筐体内に複数の給紙トレイを備え、前記給紙筐体内の１つの給紙トレイから処理部筐体内の画像作成部に給紙中であっても前記給紙筐体から他の給紙トレイの出し入れを可能とした構造を具備し、かつ、回転する記憶媒体とピックアップアーム上のピックアップとを用いて記録再生が行われる情報記憶装置を前記いずれかの筐体内に固定してなる画像形成装置において、前記情報記録装置は、前記ピックアップアームの長手方向が前記給紙トレイの出し入れ方向にほぼ一致させた配置としてなり、かつ、前記情報記憶装置は、前記いずれかの筐体に緩衝機能を介在させて保持されてなることにより、前記目的を達成する。
請求項２記載の発明は、請求項１記載の画像形成装置において、前記情報記録装置は、前記記憶媒体の回転軸が水平に位置されるように配置していることにより、前記目的を達成する。
請求項３記載の発明は、請求項１または請求項２記載の画像形成装置において、前記情報記録装置は、前記給紙トレイを出し入れする際の振動から隔絶された位置に配置されていることにより、前記目的を達成する。
請求項４記載の発明は、請求項１、請求項２、または請求項３記載の画像形成装置において、前記給紙トレイの出し入れを検出する検出手段と、前記検出手段にて前記給紙トレイの出し入れを検出している期間、前記情報記憶装置への情報の書込み、読出し等のアクセスを抑制する制御手段と、を備えたことにより、前記目的を達成する。
【発明の効果】
【０００９】
請求項１記載の画像形成装置によれば、前記情報記録装置を前記ピックアップアームの長手方向が前記給紙トレイの出し入れ方向にほぼ一致させた配置とし、かつ、前記情報記憶装置の筐体を前記給紙筐体に緩衝機能を介在させて保持してなるので、給紙トレイの出し入れの衝撃による情報記憶装置の読書きエラーや破損を防ぐことができる。
請求項２記載の画像形成装置によれば、前記記憶媒体の回転軸が水平になるよう位置させているので、給紙トレイ出し入れの衝撃による情報記憶装置の読書きエラーや破損を防ぐことができる。
請求項３記載の画像形成装置によれば、給紙トレイの出し入れの際の振動が伝わりにくい位置に情報記憶装置を配置しているので、給紙トレイ出し入れの衝撃による情報記憶装置の読書きエラーや破損を防ぐことができる。
請求項４記載の発明によれば、給紙トレイの出し入れが行われることを検知し、それが検知されている間には前記情報記憶装置への情報の書込み、読出し等のアクセスを抑制するようにしたので、前記情報記憶装置の読書きエラーや破損を防ぐことができる。
【発明を実施するための最良の形態】
【００１０】
以下、本発明の好適な実施の形態について、図１ないし図１３を参照しながら説明をする。
図１は、本発明の実施の形態に係る画像形成装置を示す斜視図であり、図２は、本発明の実施の形態に係る画像形成装置に固定する情報記憶装置の一例を示す斜視図である。
この図１において、画像形成装置１は、給紙筐体３と処理部筐体５とからなる筐体本体７の内部に情報記憶装置９を、以下に詳細に説明するように、所定の設置位置、所定の設置方向及び所定の設置手段によって設置してなるものである。
さらに説明すると、画像形成装置１において、前記給紙筐体３は、その内部に複数の給紙トレイ３ａ，３ｂ，３ｃ，３ｄを備え、前記給紙筐体３の内部の１つの給紙トレイ（例えば給紙トレイ３ａ）から処理部筐体５の内部の画像作成部に給紙中であっても前記給紙筐体３から他の給紙トレイ（例えば給紙トレイ３ｂ）の出し入れを可能とした構造を具備している。なお、図１では、第１給紙トレイ３ａ、３ｃ，３ｄを装着したままの状態を、また、第２給紙トレイ３ｂを抜いた状態を、それぞれ示している。
また、画像形成装置１に固定される前記情報記憶装置９は、図２に示すように、回転する円板型記憶媒体（ハードディスク）９ａと、前記ハードディスク９ａを一定回転速度で回転させるスピンドルモータ９ｂと、磁気ヘッド（ピックアップ）９ｃを先端上に固定したピックアップアーム９ｄと、前記ピックアップ９ｃを前記ハードディスク９ａの直径方向に読書きに応じてピックアップアーム９ｄを介して移動させるアクチュエータ９ｅと、読書きに応じてアクチュエータ９ｅやその他回路を制御する制御回路（図示せず）とを備えたものであり、前記ハードディスク９ａと前記ピックアップアーム９ｄの先端上のピックアップ９ｃとを用いて記録再生が行われるものである。この情報記憶装置９は、本実施の形態では、前記処理部筐体５の内部において、上述したように所定の設置位置、所定の設置方向及び所定の設置手段によって固定してなるものである。この情報記憶装置９は、前記ピックアップアーム９ｄの長手方向ｊの振動には影響を受けることが少ないが、前記ピックアップアーム９ｄの長手方向ｊとは直角方向ｋの振動には大きな影響を受ける。
すなわち、上記構造を有する前記情報記憶装置９は、前記ピックアップアームの長手方向ｊとが前記給紙トレイ３ａ，３ｂ，３ｃ，３ｄの出し入れ方向ｘにほぼ一致させた配置となし、かつ、前記情報記憶装置９の筐体を前記処理部筐体５に緩衝機能１１を介在させて保持させてなるものである。また、この実施の形態では、前記情報記憶装置９は、ハードディスク９ａの回転軸が水平になるような位置に固定している。
上述したような構造にしたので、前記給紙筐体３の内部の例えば給紙トレイ３ａから現に給紙が行われている状態であっても、前記給紙筐体３の内部の例えば給紙トレイ３ｂを抜いたり、差し込んだりして衝撃を給紙筐体３を含む筐体本体７に与えても、前記緩衝機能１１によって衝撃が吸収されて、前記情報記憶装置９に伝達されることが少なくなり、かつ、仮に前記情報記憶装置９に衝撃が加わったとしても、前記ピックアップアーム９ｄの長手方向ｊにその衝撃振動が伝わるため、ピックアップアーム９ｄがハードディスク９ａに接触等をすることがなくなる。
【００１１】
したがって、本実施の形態に係る画像形成装置１によれば、前記情報記憶装置９の筐体が前記給紙筐体３に緩衝機能１１を介在させて保持されているので、衝撃が情報記憶装置９に伝わり難くなり、かつ、前記ピックアップアーム９ｄの長手方向ｊが前記給紙トレイ３ａ，３ｂ，３ｄの出し入れ方向ｘにほぼ一致させた配置とすることにより、ピックアップアーム９ｄを振動させる方向への振動が働かなくなるようにしたので、給紙トレイの出し入れの衝撃による情報記憶装置９の読書きエラーや破損を防ぐことができる。
また、上記画像形成装置１によれば、前記ハードディスク９ａの回転軸の中心軸方向ｋを水平になるよう位置させて前記給紙カセット３ａ，３ｂ，３ｃ，３ｄの出し入れ方向の衝撃に耐えるようにしたので、給紙トレイ出し入れの衝撃による情報記憶装置９の読書きエラーや破損を防ぐことができる。
なお、上述した本実施の形態に係る画像形成装置１おいて、前記情報記憶装置９は、前記筐体本体７の処理部筐体５の内部に上述した構造配置によって固定したが、これに限らず、前記筐体本体７の給紙筐体３の内部に上述した構造配置によって固定してもよい。
また、上述した本実施の形態に係る画像形成装置１において、給紙トレイは、４段の給紙トレイ３ａ〜３ｄとして表示したが、これに限定されるものではなく、例えば２段以上のものであれば何段であってもよい。
【００１２】
以下、本実施の形態に係る画像形成装置１で採用する緩衝機能の構成例を示す。
（第１の緩衝機能の構成例）
図３は、本実施の形態に係る画像形成装置で採用する第１の緩衝機能の構成例を示す斜視図である。図４は、本実施の形態に係る画像形成装置において情報記憶装置９の取付位置を説明するための斜視図である。なお、図３及び図４は、図１に示す画像形成装置よりも相対的に拡大して示している。
この図３において、本実施の形態に係る画像形成装置で採用する緩衝機能１１は、基本的には、略Ｌ字状の取付金具２０と、防振ゴム２２，２２，２２，２２（なお、防振ゴム２２の一つは図面に表示されず）と、その他の部材とからなる。前記略Ｌ字状の取付金具２０の一方の面（情報記憶装置９を取り付ける面）２４には、防振ゴム２２，２２，２２、２２を取り付けるための取付孔２６，２６，２６，２６が穿設されている。また、略Ｌ字状の取付金具２０の他方の面２８には、例えば処理部筐体５の内部に固定するためのネジ孔３０，３０が穿設されている。
前記情報記憶装置９は、前記取付金具２０の取付孔２６，２６，２６，２６に取り付けた防振ゴム２２，２２，２２、２２をそれぞれ介してネジ３２，３２，３２，３２によって前記取付金具２０の一方の面２４に固定されている。
この情報記憶装置９を固定した前記取付金具２０は、図４に示すように、前記情報記憶装置９の前記ピックアップアーム９ｄの長手方向ｊを前記給紙トレイ３ａ，３ｂ，３ｃ，３ｄの出し入れ方向ｘにほぼ一致させた配置となし、かつ、前記情報記憶装置９のハードディスク９ａの回転軸方向ｋを水平方向ｙに一致（水平）なるように位置させた状態で処理部筐体５の内部の固定金具５ａにネジ３４，３４により固定している。なお、ｚは垂直方向を表している。
また、前記取付金具２０は、図４に示すように、前記給紙筐体３の前記給紙トレイ３ａ，３ｂ，３ｃ，３ｄの出し入れの振動が伝わらないように、前記給紙トレイ３ａ，３ｂ，３ｃ，３ｄから離れた処理部筐体５の機器の後ろ上部に固定している。
本実施の形態に係る画像形成装置は、上記構造をしているので、給紙トレイの出し入れの衝撃による情報記憶装置９の読書きエラーや破損を防ぐことができる。
【００１３】
（第２の緩衝機能の構成例）
図５は、本実施の形態に係る画像形成装置で採用する第２の緩衝機能の構成例を示す斜視図である。図６は、本実施の形態に係る画像形成装置において情報記憶装置９の取付位置を説明するための斜視図である。なお、図５及び図６は、図１に示す画像形成装置と比較して相対的に拡大して示している。
この図５において、本実施の形態に係る画像形成装置で採用する緩衝機能１１ａは、基本的には、略Ｌ字状のブラケット４０からなる。前記略Ｌ字状のブラケット４０は、Ｌ字状の一方の面４２を小さく、Ｌ字状の他方の面４４を前記Ｌ字状の一方の面４２の少なくとも２倍以上好ましくは５倍以上の長さに構成してある。前記Ｌ字状の一方の面４２には、ネジ止め用の孔４６，４６が穿設されている。また、前記Ｌ字状の他方の面４４の一方の面４２とは反対側の端部には、情報記憶装置９を固定するためのネジ孔４８，４８が穿設されている。
前記情報記憶装置９は、図５に示すように、前記略Ｌ字状のブラケット４０のＬ字状の他方の面４４のネジ孔４８，４８に挿通されたネジ５０，５０によって前記Ｌ字状の他方の面４４の先端側に固定されている。
この情報記憶装置９を固定した略Ｌ字状のブラケット４０は、当然、前記情報記憶装置９の前記ピックアップアーム９ｄの長手方向ｊが前記給紙トレイ３ａ，３ｂ，３ｃ，３ｄの出し入れ方向ｘにほぼ一致させた配置とし、かつ、前記情報記憶装置９のハードディスク９ａの回転軸ｋが水平になるような位置に固定している。
また、前記略Ｌ字状のブラケット４０は、図６に示すように、前記給紙筐体３の前記給紙トレイ３ａ，３ｂ，３ｃ，３ｄの出し入れの振動が伝わらないように、前記給紙トレイ３ａ，３ｂ，３ｃ，３ｄから離れた処理部筐体５の機器の後ろ上部などの位置に固定している。また、前記略Ｌ字状のブラケット４０は、図６に示すように、前記一方の面４２を例えば前記処理部筐体５の取り付け面５ｂにネジ５２，５２で固定されており、処理部筐体５の取り付け面５ｂから充分に腕が延ばされた状態に固定されることになる。
本実施の形態に係る画像形成装置１は、上記構造をしているので、給紙トレイの出し入れの衝撃による情報記憶装置９の読書きエラーや破損を防ぐことができる。
【００１４】
（第３の緩衝機能の構成例）
図７は、本実施の形態に係る画像形成装置で採用する第３の緩衝機能の構成例を示す斜視図である。図８は、本実施の形態に係る画像形成装置において情報記憶装置９の取付位置を説明するための斜視図である。なお、図７及び図８は、図１に示す画像形成装置よりも相対的に拡大して示している。
この図７において、本実施の形態に係る画像形成装置で採用する緩衝機能１１ｂは、基本的には、情報記憶装置９を固定する所定形状のブラケット６０と、防振ゴム６２，６２，６２、６２と、その他の部材（例えばネジ）とを少なくとも備えてなる。この所定形状のブラケット６０は、情報記憶装置９を取り付ける方形状の取付け面６４が形成されており、かつ、前記取付け面６４の端側から延長した所定長さの幅の細い細腕６６，６６が一体的に形成されている。前記取付け面６４には、防振ゴム６２，６２，６２、６２を挿入する固定用孔６８，６８，６８，６８が穿設されている。
前記情報記憶装置９を前記所定形状のブラケット６０の取付け面６４に取り付けるには次のようにする。まず、前記取付け面６４の固定用孔６８，６８，６８，６８に防振ゴム６２，６２，６２、６２を挿入する。ついで、前記取付け面６４の一方の面に前記情報記憶装置９の取り付け面を載置し、前記取付け面６４の他方の面から防振ゴム６２，６２，６２、６２の中心部にネジ７０，７０，７０，７０を挿入し、当該ネジ７０，７０，７０，７０で情報記憶装置９を前記取付け面６４に固定している。
この情報記憶装置９を固定した所定形状のブラケット６０は、当然、前記情報記憶装置９の前記ピックアップアーム９ｄの長手方向ｊが前記給紙トレイ３ａ，３ｂ，３ｃ，３ｄの出し入れ方向ｘにほぼ一致させた配置とし、かつ、前記情報記憶装置９のハードディスク９ａの回転軸ｋが水平になるような位置において前記処理部筐体５の内で固定される。
また、前記所定形状のブラケット６０は、図８に示すように、前記給紙筐体３の前記給紙トレイ３ａ，３ｂ，３ｃ，３ｄの出し入れの振動が伝わらないように、前記給紙トレイ３ａ，３ｂ，３ｃ，３ｄから離れた処理部筐体５の機器の後ろ上部などに固定している。
また、前記所定形状のブラケット６０は、図８に示すように、前記細腕６６を例えば前記処理部筐体５の取付け面５ｂにスペーサ５ｃ，５ｃを介在させてネジ７２，７２により固定されることにより、処理部筐体５に対して細長い細腕６６，６６でもって固定されることになる。
本実施の形態に係る画像形成装置１は、上記構造をしているので、給紙トレイの出し入れの衝撃による情報記憶装置９の読書きエラーや破損を防ぐことができる。
【００１５】
（第４の緩衝機能の構成例）
図９は、本実施の形態に係る画像形成装置で採用する第４の緩衝機能の構成例を示す斜視図である。図１０は、本実施の形態に係る画像形成装置において情報記憶装置９の取付位置を説明するための斜視図である。なお、図９及び図１０は、図１に示す画像形成装置よりも相対的に拡大して示している。
この図９において、本実施の形態に係る画像形成装置で採用する緩衝機能１１ｃは、基本的には、略Ｌ字状の取付金具８０と、防振ゴム８２，８２，８２、８２と、その他の部材（例えばネジ）とからなる。前記略Ｌ字状の取付金具８０の一方の面（情報記憶装置９を取り付ける面）８４には、防振ゴム２２，２２，２２、２２を取り付けるための取付孔８６，８６，８６，８６が穿設されている。また、略Ｌ字状の取付金具８０の他方の面８８には、例えば処理部筐体５の内部に固定するためのネジ孔９０，９０が穿設されている。
前記情報記憶装置９は、前記取付金具８０の取付孔８６，８６，８６，８６に取り付けた防振ゴム８２，８２，８２、８２をそれぞれ介してネジ９２，９２，９２，９２によって前記取付金具８０の一方の面８４に固定されている。
この情報記憶装置９を固定した前記取付金具８０は、当然、前記情報記憶装置９の前記ピックアップアーム９ｄの長手方向ｊが前記給紙トレイ３ａ，３ｂ，３ｃ，３ｄの出し入れ方向ｘにほぼ一致させた配置とし、かつ、前記情報記憶装置９のハードディスク９ａの回転軸ｋを垂直軸ｚに一致させて垂直になるような位置に固定している。
また、前記取付金具８０は、図１０に示すように、前記給紙筐体３の前記給紙トレイ３ａ，３ｂ，３ｃ，３ｄの出し入れの振動が伝わらないように、前記給紙トレイ３ａ，３ｂ，３ｃ，３ｄから離れた処理部筐体５の機器の後ろ上部などに固定すればよい。
また、前記所定形状のブラケット８０は、図１０に示すように、その一面８８をネジ９４，９４により前記処理部筐体５の仕切板５ｄに固定している。
本実施の形態に係る画像形成装置１は、上記構造をしているので、給紙トレイの出し入れの衝撃による情報記憶装置９の読書きエラーや破損を防ぐことができる。
なお、上記各説明及び上記各図面中においては、符号ｘ，ｙ，ｚは直交する座標系の各軸を表しており、ｘ軸は給紙トレイ３ａ，３ｂ，３ｃ，３ｄの抜き差し方向に一致する水平軸であり、ｙ軸は前記ｘ軸に直交する水平軸であり、ｚ軸はｘ軸及びｙ軸にそれぞれ直交する垂直軸を表している。
【００１６】
以下では、本実施の形態に係る画像形成装置で採用する制御方式の構成について説明する。
（本実施の形態に係る画像形成装置で採用する制御方式の構成）
図１１は、本実施の形態に係る画像形成装置で採用する制御方式の構成を示した図である。図１２は、本実施の形態に係る画像形成装置において情報記憶装置９の制御動作を説明するためのフローチャートである。
この図１１において、本実施の形態に係る画像形成装置１は、前記給紙トレイ３ａ，３ｂ，３ｄの出し入れ時に前記情報記憶装置９の書き込み／読み出しの動作を停止させ、これをもって前記給紙トレイ３ａ，３ｂ，３ｄの出し入れ時の振動が前記ピックアップアーム９ｄに伝わらないようにし、前記情報記憶装置９を保護するようにしたものである。
すなわち、本実施の形態に係る画像形成装置１は、前記給紙筐体３の内部の給紙トレイ３ａ，３ｂ，３ｃ，３ｄの出し入れを検出する検出手段１２０と、前記検出手段１２０から給紙トレイの出し入れの検出信号を受信したときに、その検出信号を受信している期間、前記情報記憶装置９のへの情報の書込み、読出し等のアクセスを抑制するアクセス制御手段１２２とを備えたものである。
上述した構成は、次のような点に着目したものである。すなわち、前述の第１の緩衝機能ないし第４の緩衝機能を備えた画像形成装置では、前記情報記憶装置９が現に読書き等のアクセスを実行している最中に、給紙トレイ３ａ，３ｂ，３ｃ，３ｄを出し入れ操作したことにより発生する振動によってエラーを起こさないようにするための提案である。
これに対して本制御方式では、前述の第１の緩衝機能ないし第４の緩衝機能を備えた画像形成装置とは異なり、給紙トレイ３ａ，３ｂ，３ｃ，３ｄの出し入れが行われることを検出手段１２０で検知し、当該検出手段１２０からの検出信号をアクセス制御手段１２２に取込み、検出手段１２０により、前記給紙トレイ３ａ，３ｂ，３ｃ，３ｄの出し入れが行われている期間、前記情報記憶装置９への情報の書込みや読出し等のアクセスを抑制するようにしたものである。
【００１７】
このような動作について図１２のフローチャートを参照しながら説明をする。
まず、前記アクセス制御手段１２２は、前記情報記憶装置９へのアクセスを常時監視している。
ここで、前記アクセス制御手段１２２が前記情報記憶装置９へのアクセスを検出すると、図１２のフローチャートの動作を開始する（ステップ（Ｓ）２００）。そして、前記アクセス制御手段１２２は、まず、前記検出手段１２０からの検出信号を判定する（Ｓ２０１）。
前記アクセス制御手段１２２は、前記検出手段１２０からの検出信号がある（給紙トレイ３ａ，３ｂ，３ｃ，３ｄの少なくとも一つが引き抜かれている）と検出したときには、給紙トレイ３ａ，３ｂ，３ｃ，３ｄの少なくとも一つが操作されているものと判定し（Ｓ２０１；ＹＥＳ）、前記情報記憶装置９のアクセスを抑制（アクセス不可と）する（Ｓ２０２）。
一方、前記アクセス制御手段１２２は、前記検出手段１２０からの検出信号がない（給紙トレイ３ａ，３ｂ，３ｃ，３ｄが一つも引き抜かれていない）と検出したときには、給紙トレイ３ａ，３ｂ，３ｃ，３ｄが操作されていないものと判定し（Ｓ２０１；ＮＯ）、前記情報記憶装置９へのアクセスを許可とする（Ｓ２０３）。
本制御方式により、給紙トレイ３ａ，３ｂ，３ｃの操作中（給紙トレイ３ａ，３ｂ，３ｃ，３ｄの抜き差ししている状態）のときには、情報記憶装置９へのアクセスを禁止するようにしたので、前記情報記憶装置９への読書きエラーや、破損等を防ぐこともできる。
図１３は、本制御方式の応用例を説明するためのフローチャートである。
この図１３において、前記アクセス制御手段１２２が前記情報記憶装置９へのアクセスを検出すると、図１３のフローチャートの動作を開始する（ステップ（Ｓ）２２０）。すると、前記アクセス制御手段１２２は、まず、前記検出手段１２０からの検出信号を判定する（Ｓ２２１）。
前記アクセス制御手段１２２は、前記検出手段１２０からの検出信号がない（給紙トレイ３ａ，３ｂ，３ｃ，３ｄが一つも引き抜かれていない）場合には、給紙トレイ３ａ，３ｂ，３ｃ，３ｄが操作されていないものと判定し（Ｓ２２１；ＮＯ）、前記情報記憶装置９へのアクセスを許可とする（Ｓ２２２）。
一方、前記アクセス制御手段１２２は、前記検出手段１２０からの検出信号がある（給紙トレイ３ａ，３ｂ，３ｃ，３ｄの少なくとも一つが引き抜かれている）場合には、給紙トレイ３ａ，３ｂ，３ｃ，３ｄの少なくとも一つが操作されているものと判定し（Ｓ２２１；ＹＥＳ）、表示装置などに「トレイを閉めて下さい」等の表示をするような指令を出す（Ｓ２２３）。このように、給紙トレイが引出されている場合には、給紙トレイを閉めるよう促す措置をこうじても良い。
なお、上記情報記憶装置９は、例えばハードディスクドライブ、光磁気ディスクドライブ（ＭＯ，ＭＤ）、フロッピー（登録商標）ディスクドライブなど、ディスク（記憶媒体）を回転させて記憶や再生を行う装置であれば、どのようなものでもよい。
【図面の簡単な説明】
【００１８】
【図１】本発明の実施の形態に係る画像形成装置を示す斜視図である。
【図２】本発明の実施の形態に係る画像形成装置に固定する情報記憶装置の一例を示す斜視図である。
【図３】本実施の形態に係る画像形成装置で採用する第１の緩衝機能の構成例を示す斜視図である。
【図４】本実施の形態に係る画像形成装置において情報記憶装置の取付位置を説明するための斜視図である。
【図５】本実施の形態に係る画像形成装置で採用する第２の緩衝機能の構成例を示す斜視図である。
【図６】本実施の形態に係る画像形成装置において情報記憶装置の取付位置を説明するための斜視図である。
【図７】本実施の形態に係る画像形成装置で採用する第３の緩衝機能の構成例を示す斜視図である。
【図８】本実施の形態に係る画像形成装置において情報記憶装置の取付位置を説明するための斜視図である。
【図９】本実施の形態に係る画像形成装置で採用する第４の緩衝機能の構成例を示す斜視図である。
【図１０】本実施の形態に係る画像形成装置において情報記憶装置の取付位置を説明するための斜視図である。
【図１１】本実施の形態に係る画像形成装置で採用する制御方式の構成を示した図である。
【図１２】本実施の形態に係る画像形成装置において情報記憶装置の制御動作を説明するためのフローチャートである。
【図１３】本制御方式の応用例を説明するためのフローチャートである。
【符号の説明】
【００１９】
１  画像形成装置
３  給紙筐体
３ａ，３ｂ，３ｃ，３ｄ  給紙トレイ
５  処理部筐体
５ａ  固定金具
５ｂ  取付け面
５ｃ  スペーサ
５ｄ  仕切板
７  筐体本体
９  情報記憶装置
９ａ  ハードディスク
９ｂ  スピンドルモータ
９ｃ  ピックアップ
９ｄ  ピックアップアーム
９ｅ  アクチュエータ
１１，１１ａ，１１ｂ，１１ｃ  緩衝機能
２０  取付金具
２２  防振ゴム
２４  取付金具の一方の面
２６  取付孔
２８  取付金具の他方の面
３０  ネジ孔
３２  ネジ
３４  ネジ
４０  ブラケット
４２  Ｌ字状の一方の面
４４  Ｌ字状の他方の面４２
４６  ネジ止め用の孔
４８  ネジ孔
５０  ネジ
５２  ネジ
６０  ブラケット
６２  防振ゴム
６４  取付け面
６６  細腕
６８  固定用孔
７０  ネジ
７２  ネジ
８０  取付金具
８２  防振ゴム
８４  取付金具の一方の面
８６  取付孔
８８  取付金具の他方の面
９０  ネジ孔
９２  ネジ
９４  ネジ
ｊ  ピックアップアームの長手方向
ｋ  ハードディスクの回転軸
ｚ  垂直方向
ｘ  給紙トレイの出し入れ方向
【図１】
2005088554.tif 000003
【図２】
2005088554.tif 000004
【図３】
2005088554.tif 000005
【図４】
2005088554.tif 000006
【図５】
2005088554.tif 000007
【図６】
2005088554.tif 000008
【図７】
2005088554.tif 000009
【図８】
2005088554.tif 000010
【図９】
2005088554.tif 000011
【図１０】
2005088554.tif 000012
【図１１】
2005088554.tif 000013
【図１２】
2005088554.tif 000014
【図１３】
2005088554.tif 000015